【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
モータ部材を有する双安定ソレノイドモータであって、前記モータ部材を第１の位置と第２の位置との間で駆動するように構成される、双安定ソレノイドモータと、
前記第１の位置から前記第２の位置への前記モータ部材の移動に応答するアクチュエータと、
該アクチュエータに応答的に連結され、前記モータ部材が前記第１の位置に配置されるときに第１の形状を有するアパーチャを定める、シャッタアセンブリとを含み、
前記アパーチャは、前記モータ部材が前記第２の位置に配置されるときに第２の形状を有し、前記シャッタアセンブリは、極低温環境において動作するように構成され、
前記アクチュエータは、前記モータ部材が前記第１の位置から前記第２の位置に移動するときを除き、前記シャッタアセンブリから熱的に隔離される、
デバイス。
【請求項２】
前記アクチュエータは、前記モータ部材が前記第１の位置から前記第２の位置に前進させられるときにのみ前記シャッタアセンブリと係合するように構成される凹部を有するアームを含む、請求項１に記載のデバイス。
【請求項３】
前記シャッタアセンブリは、空洞内に配置される第１の端を有する第１のシャッタ部材と、前記空洞内に配置される第２の端を有する第２のシャッタ部材とを含み、前記第１の端は、前記第２の端に対向し、前記第１の端は、第１の位置に配置されるときに第１の形状を有する前記アパーチャをそれらの間に定めるよう、選択的に前記第２の端に向かって前進させられ且つ前記第２の端から後退させられるように構成され、前記アパーチャは、前記第１の端が第２の位置に配置されるときに前記第２の形状を有する、請求項１に記載のデバイス。
【請求項４】
前記アクチュエータは、凹部を有するアームを含み、前記第１のシャッタ部材は、前記アームの凹部に配置される駆動部材を有し、該駆動部材は、前記モータ部材が前記第１の位置から前記第２の位置に前進させられるときにのみ前記アームによって係合されるように構成される、請求項３に記載のデバイス。
【請求項５】
前記シャッタアセンブリは、前記空洞を定めるハウジングを含み、前記第１のシャッタ部材及び前記第２のシャッタ部材は、全ての位置において、前記ハウジングとの熱接触を維持する、請求項３に記載のデバイス。
【請求項６】
前記ハウジングは、少なくとも１つのレールを含み、前記第１のシャッタ部材及び前記第２のシャッタ部材は、全てのシャッタ位置において、前記少なくとも１つのレールとの熱接触を維持する、請求項５に記載のデバイス。
【請求項７】
前記ハウジングは、前記空洞を定めるスリーブを含み、該スリーブは、一対の対向する平面的な部材を有し、該一対の対向する平面的な部材は、少なくとも１つのスペーサ部材によって、それぞれの平面的な部材の中央部分の周りで互いに熱的に連結される、請求項６に記載のデバイス。
【請求項８】
前記少なくとも１つのスペーサ部材は、前記アパーチャが前記第１の形状を有するときに、前記第１のシャッタ部材の第１の端及び前記第２のシャッタ部材の第２の端に熱的に連結されるように構成されるストップを含む、請求項７に記載のデバイス。
【請求項９】
前記双安定ソレノイドモータを制御し且つ前記モータ部材が前記第２の位置に接近するときに前記モータ部材の速度を制御するように構成される、コントローラを更に含む、請求項１に記載のデバイス。
【請求項１０】
前記コントローラは、前記モータ部材を前記第１の位置から前記第２の位置に駆動する前に、前記双安定ソレノイドモータの少なくとも１つのパラメータを測定するように構成される、請求項９に記載のデバイス。
【請求項１１】
前記双安定ソレノイドモータは、コイルを有し、前記コントローラは、前記コイルの抵抗を測定し且つ該測定されるコイル抵抗の関数として前記モータ部材の前記速度を制御するように構成される、請求項１０に記載のデバイス。
【請求項１２】
前記双安定ソレノイドモータは、コイルを有し、前記コントローラは、前記コイルのインダクタンスを測定し且つ該測定されるコイルインダクタンスの関数として前記モータ部材の速度を制御するように構成される、請求項１０に記載のデバイス。
【請求項１３】
前記コントローラは、前記測定される少なくとも１つのパラメータの関数として前記モータ部材の速度を制御するように構成されるフィードバックループを有する、請求項１０に記載のデバイス。
【請求項１４】
前記コントローラは、前記モータ部材を前記第１の位置から前記第２の位置に駆動する直前に前記コイル抵抗を測定するように構成される、請求項１１に記載のデバイス。
【請求項１５】
前記コントローラは、前記双安定ソレノイドモータの逆起電力を測定して前記コイル抵抗を決定するように構成される、請求項１１に記載のデバイス。
【請求項１６】
第１のモータ部材を有する第１の双安定ソレノイドモータ及び第２のモータ部材を有する第２の双安定ソレノイドモータであって、前記第１及び第２の双安定ソレノイドモータの各々は、それぞれのモータ部材を第１の位置と第２の位置との間で駆動するように構成される、第１の双安定ソレノイドモータ及び第２の双安定ソレノイドモータと、
前記第１の位置から前記第２の位置への前記第１のモータ部材の移動に応答する第１のアクチュエータ及び前記第１の位置から前記第２の位置への前記第２のモータ部材の移動に応答する第２のアクチュエータと、
前記第１のアクチュエータ及び前記第２のアクチュエータに応答的に連結されるシャッタアセンブリとを含み、
該シャッタアセンブリは、前記第１のモータ部材及び前記第２のモータ部材の各々がそれぞれの第１の位置に配置されるときに第１の形状を有するアパーチャを定め、該アパーチャは、前記第１のモータ部材及び前記第２のモータ部材の各々がそれぞれの第２の位置に配置されるときに第２の形状を有し、前記シャッタアセンブリは、極低温環境において動作するように構成され、
前記第１のアクチュエータ及び前記第２のアクチュエータは、前記第１のモータ部材及び前記第２のモータ部材の各々がそれぞれの第１の位置からそれぞれの第２の位置に移動するときを除き、前記シャッタアセンブリから熱的に隔離される、
デバイス。
【請求項１７】
前記第１のアクチュエータ及び前記第２のアクチュエータの各々は、前記第１のモータ部材及び前記第２のモータ部材の各々が前記それぞれの第１の位置から前記それぞれの第２の位置に移動するときにのみ前記シャッタアセンブリと係合するように構成される凹部を有するアームを含む、請求項１６に記載のデバイス。
【請求項１８】
前記シャッタアセンブリは、前記第１のアクチュエータのアームに応答的に連結させられる第１のシャッタ部材と、前記第２のアクチュエータのアームに応答的に連結させられる第２のシャッタ部材とを含み、前記第１のシャッタ部材及び前記第２のシャッタ部材の各々は、前記第１及び第２の双安定ソレノイドモータの各々が前記第１の位置に配置されるときに、前記第１の形状を有する前記アパーチャをそれらの間に定めるよう、選択的に互いに向かって前進させられ且つ互いから後退させられるように構成され、前記アパーチャは、前記第１及び第２の双安定ソレノイドモータの各々が前記第２の位置に配置されるときに、前記第１の形状よりも大きい前記第２の形状を有する、請求項１７に記載のデバイス。
【請求項１９】
前記第１のアクチュエータ及び前記第２のアクチュエータの各々は、凹部を有するアームを含み、前記第１のシャッタ部材は、前記第１のアクチュエータのアームの凹部内に配置される第１の駆動部材を有し、前記第２のシャッタ部材は、前記第２のアクチュエータのアームの凹部内に配置される第２の駆動部材を有し、前記第１及び第２の駆動部材の各々は、前記それぞれのモータ部材が前記それぞれの第１の位置から前記それぞれの第２の位置に前進させられるときにのみ、前記それぞれの第１及び第２のアクチュエータのアームによって係合されるように構成される、請求項１８に記載のデバイス。
【請求項２０】
前記シャッタアセンブリは、空洞を定めるハウジングを含み、前記第１のシャッタ部材及び前記第２のシャッタ部材は、全ての位置において、前記ハウジングとの熱接触を維持する、請求項１８に記載のデバイス。
【請求項２１】
前記ハウジングは、前記空洞を定めるスリーブを含み、該スリーブは、一対の対向する平面的な部材を有し、該一対の対向する平面的な部材は、少なくとも１つのスペーサ部材によって、それぞれの平面的な部材の中央部分の周りで互いに熱的に連結される、請求項２０に記載のデバイス。
【請求項２２】
前記少なくとも１つのスペーサ部材は、前記アパーチャが前記第１の形状を有するときに、前記第１のシャッタ部材及び前記第２のシャッタ部材に熱的に連結させられる、請求項２１に記載のデバイス。
【請求項２３】
前記第１及び第２の双安定ソレノイドモータを制御し、前記第１及び第２のモータ部材が前記それぞれの第２の位置に接近するときに、前記第１及び第２のモータ部材の速度を制御するように構成される、コントローラを更に含む、請求項１６に記載のデバイス。
【請求項２４】
前記コントローラは、前記それぞれの第１及び第２のモータ部材を前記第１の位置から前記第２の位置に駆動する前に、前記第１及び第２の双安定ソレノイドモータの少なくとも１つのパラメータを測定するように構成される、請求項２３に記載のデバイス。
【請求項２５】
前記コントローラは、前記測定される少なくとも１つのパラメータの関数として前記第１及び第２のモータ部材の前記速度を制御するように構成されるフィードバックループを有する、請求項２４に記載のデバイス。